【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
（Ａ）（１）芳香族ジカルボン酸残基１〜６５モル％と炭素数４〜１４の脂肪族ジカルボン酸残基及び炭素数５〜１５の脂環式ジカルボン酸残基からなる群から選ばれた非芳香族ジカルボン酸残基９９〜３５モル％を含んでなる二酸残基（二酸残基の総モル％は１００モル％に等しい）；並びに
（２）炭素数２〜８の１種又はそれ以上の脂肪族ジオール、炭素数２〜８の１種又はそれ以上のポリアルキレンエーテル及び炭素数４〜１２の１種又はそれ以上の脂環式ジオールからなる群から選ばれたジオール残基（ジオール残基の総モル％は１００モル％に等しい）
を含んでなる、１０℃未満のガラス転移温度を有するコポリエステル；及び
（Ｂ）可塑化有効量の１種又はそれ以上の相容性可塑剤
を含んでなるポリマー組成物。
【請求項２】
酸残基、アルコール残基、安息香酸エステル、フタル酸エステル、燐酸エステル又はイソフタル酸エステルからなる群から選ばれた１種又はそれ以上の可塑剤を含む請求項１に記載のポリマー組成物。
【請求項３】
前記酸残基がフタル酸、アジピン酸、トリメリット酸、安息香酸、アゼライン酸、テレフタル酸、イソフタル酸、酪酸、グルタル酸、クエン酸又は燐酸からなる群から選ばれた１種又はそれ以上の残基を含む請求項２に記載のポリマー組成物。
【請求項４】
前記アルコール残基が炭素数１〜２０の脂肪族、脂環式又は芳香族アルコールの１種又はそれ以上の残基を含む請求項２に記載のポリマー組成物。
【請求項５】
前記アルコール残基が、メタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコールからなる群から選ばれた１種又はそれ以上の残基を含む請求項４に記載のポリマー組成物。
【請求項６】
前記の１種又はそれ以上の可塑剤がＮ−エチル−ｏ，ｐ−トルエンスルホンアミド、２−エチルヘキシルジフェニルホスフェート、イソデシルジフェニルホスフェート、燐酸トリブチル、ｔ−ブチルフェニルジフェニルホスフェート、燐酸トリクレジル、クロロパラフィン（塩素６０％）、クロロパラフィン（塩素５０％）、コハク酸ジエチル、マレイン酸ジ−ｎ−ブチル、マレイン酸ジ−（２−エチルヘキシル）、ステアリン酸ｎ−ブチル、アセチルトリエチルシトレート、クエン酸トリエチル、クエン酸トリ−ｎ−ブチル、アセチルトリ−ｎ−ブチルシトレート、オレイン酸メチル、フマル酸ジブチル、アジピン酸ジイソブチル、アゼライン酸ジメチル、エポキシ化アマニ油、グリセロールモノオレエート、メチルアセチルリシノレエート、ｎ−ブチルアセチルリシノレエート、プロピレングリコールリシノレエート、ポリエチレングリコール２００ジベンゾエート、ジエチレングリコールジベンゾエート、ジプロピレングリコールジベンゾエート、フタル酸ジメチル、フタル酸ジエチル、フタル酸ジ−ｎ−ブチル、フタル酸ジイソブチル、ブチルベンジルフタレート又はグリセロールトリアセテートからなる群から選ばれる請求項１に記載のポリマー組成物。
【請求項７】
前記可塑剤がＮ−エチル−ｏ，ｐ−トルエンスルホンアミド、２−エチルヘキシルジフェニルホスフェート、イソデシルジフェニルホスフェート、燐酸トリブチル、ｔ−ブチルフェニルジフェニルホスフェート、燐酸トリクレジル、クロロパラフィン（塩素６０％）、クロロパラフィン（塩素５０％）、コハク酸ジエチル、マレイン酸ジ−ｎ−ブチル、マレイン酸ジ−（２−エチルヘキシル）、ステアリン酸ｎ−ブチル、アセチルトリエチルシトレート、クエン酸トリエチル、クエン酸トリ−ｎ−ブチル、アゼライン酸ジメチル、ポリエチレングリコール２００ジベンゾエート、ジエチレングリコールジベンゾエート、ジプロピレングリコールジベンゾエート、フタル酸ジメチル、フタル酸ジエチル、フタル酸ジ−ｎ−ブチル、フタル酸ジイソブチル、ブチルベンジルフタレート又はグリセロールトリアセテートからなる群から選ばれる請求項６に記載のポリマー組成物。
【請求項８】
前記の１種又はそれ以上の可塑剤が、Ｎ−エチル−ｏ，ｐ−トルエンスルホンアミド、２−エチルヘキシルジフェニルホスフェート、イソデシルジフェニルホスフェート、ｔ−ブチルフェニルジフェニルホスフェート、燐酸トリクレジル、クロロパラフィン（塩素６０％）、クロロパラフィン（塩素５０％）、コハク酸ジエチル、マレイン酸ジ−ｎ−ブチル、ステアリン酸ｎ−ブチル、ポリエチレングリコール２００ジベンゾエート、ジエチレングリコールジベンゾエート、ジプロピレングリコールジベンゾエート、フタル酸ジメチル、フタル酸ジエチル、フタル酸ジ−ｎ−ブチル、フタル酸ジイソブチル又はブチルベンジルフタレートからなる群から選ばれる請求項７に記載のポリマー組成物。
【請求項９】
前記の１種又はそれ以上の可塑剤が、Ｎ−エチル−ｏ，ｐ−トルエンスルホンアミド、２−エチルヘキシルジフェニルホスフェート、イソデシルジフェニルホスフェート、ｔ−ブチルフェニルジフェニルホスフェート、燐酸トリクレジル、クロロパラフィン（塩素６０％）、ポリエチレングリコール２００ジベンゾエート、ジエチレングリコールジベンゾエート、ジプロピレングリコールジベンゾエート、フタル酸ジメチル、フタル酸ジエチル、フタル酸ジ−ｎ−ブチル又はブチルベンジルフタレートからなる群から選ばれる請求項８に記載のポリマー組成物。
【請求項１０】
前記の１種又はそれ以上の可塑剤が、Ｎ−エチル−ｏ，ｐ−トルエンスルホンアミド、ｔ−ブチルフェニルジフェニルホスフェート、燐酸トリクレジル、ジエチレングリコールジベンゾエート、ジプロピレングリコールジベンゾエート、フタル酸ジメチル、フタル酸ジエチル又はブチルベンジルフタレートからなる群から選ばれる請求項９に記載のポリマー組成物。
【請求項１１】
前記の１種又はそれ以上の可塑剤がＮ−エチル−ｏ，ｐ−トルエンスルホンアミド、ジエチレングリコールジベンゾエート、ジプロピレングリコールジベンゾエート又はフタル酸ジメチルからなる群から選ばれる請求項１０に記載のポリマー組成物。
【請求項１２】
前記の１種又はそれ以上の可塑剤がジエチレングリコールジベンゾエートを含む請求項１１に記載のポリマー組成物。
【請求項１３】
ポリエステル（Ａ）がテレフタル酸、イソフタル酸又はそれらの混合物からなる群から選ばれる請求項１に記載のポリマー組成物。
【請求項１４】
ポリエステル（Ａ）が２５〜６５モル％のテレフタル酸残基を含む請求項１に記載のポリマー組成物。
【請求項１５】
ポリエステル（Ａ）が３５〜６５モル％のテレフタル酸残基を含む請求項１４に記載のポリマー組成物。
【請求項１６】
ポリエステル（Ａ）が４０〜６０モル％のテレフタル酸残基を含む請求項１５に記載のポリマー組成物。
【請求項１７】
前記非芳香族ジカルボン酸残基がアジピン酸、グルタル酸又はそれらの混合物からなる群から選ばれる請求項１に記載のポリマー組成物。
【請求項１８】
ポリエステル（Ａ）がアジピン酸、グルタル酸又はそれらの混合物からなる群から選ばれた１種又はそれ以上の非芳香族ジカルボン酸を７５〜３５モル％含む請求項１７に記載のポリマー組成物。
【請求項１９】
前記ポリエステル（Ａ）がアジピン酸、グルタル酸又はそれらの混合物からなる群から選ばれた１種又はそれ以上の非芳香族ジカルボン酸を６５〜３５モル％含む請求項１８に記載のポリマー組成物。
【請求項２０】
前記ポリエステル（Ａ）がアジピン酸、グルタル酸又はそれらの２種若しくはそれ以上のジオール残基の組合せからなる群から選ばれた１種又はそれ以上の非芳香族ジカルボン酸を４０〜６０モル％含む請求項１９に記載のポリマー組成物。
【請求項２１】
ポリエステル（Ａ）の１種又はそれ以上のジオール残基がエチレングリコール、ジエチレングリコール、プロピレングリコール、１，３−プロパンジオール、２，２−ジメチル−１，３−プロパンジオール、１，３−ブタンジオール、１，４−ブタンジオール、１，５−ペンタンジオール、１，６−ヘキサンジオール、ポリエチレングリコール、ジエチレングリコール、２，２，４−トリメチル−１，６−ヘキサンジオール、チオジエタノール、１，３−シクロヘキサンジメタノール、１，４−シクロヘキサンジメタノール、２，２，４，４−テトラメチル−１，３−シクロブタンジオール、トリエチレングリコール及びテトラエチレングリコール又はそれらの２種又はそれ以上のジオール残基の組合せからなる群から選ばれる請求項１に記載のポリマー組成物。
【請求項２２】
ポリエステル（Ａ）のジオール残基が脂肪族ジオール残基から本質的になる請求項１に記載のポリマー組成物。
【請求項２３】
ポリエステル（Ａ）が１，４−ブタンジオール、１，３−プロパンジオール、エチレングリコール、１，６−ヘキサンジオール、ジエチレングリコール、１，４−シクロヘキサンジメタノール又はそれらの２種若しくはそれ以上のジオール残基の組合せからなる群から選ばれた１種又はそれ以上のジオールを含む請求項２２に記載のポリマー組成物。
【請求項２４】
ポリエステル（Ａ）が１，４−ブタンジオール、エチレングリコール及び１，４−シクロヘキサンジメタノール又はそれらの２種若しくはそれ以上のジオール残基の組合せからなる群から選ばれた１種又はそれ以上のジオールを含む請求項２２に記載のポリマー組成物。
【請求項２５】
ポリエステル（Ａ）の前記ジオール残基が１，４−ブタンジオールを含む請求項２４に記載のポリマー組成物。
【請求項２６】
ポリエステル（Ａ）が、８０〜１００モル％の１，４−ブタンジオールを更に含んでなるジオール残基を含み、ジオール残基の総モル％が１００モル％に等しい請求項２５に記載のポリマー組成物。
【請求項２７】
ポリエステル（Ａ）の前記二酸及びジオール残基が、
（１）２５〜６５モル％のテレフタル酸残基及び７５〜３５モル％の非芳香族ジカルボン酸残基を含む芳香族ジカルボン酸残基；並びに
（２）脂肪族ジオールからなるジオール残基
から本質的になる請求項１に記載のポリマー組成物。
【請求項２８】
ポリエステル（Ａ）の前記二酸及びジオール残基が、
（１）２５〜６５モル％のテレフタル酸残基及び７５〜３５モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項２７に記載のポリマー組成物。
【請求項２９】
ポリエステル（Ａ）の前記二酸及びジオール残基が、
（１）３５〜６５モル％のテレフタル酸残基及び６５〜３５モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項２８に記載のポリマー組成物。
【請求項３０】
ポリエステル（Ａ）の前記二酸及びジオール残基が、
（１）４０〜６０モル％のテレフタル酸残基及び６０〜４０モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項２９に記載のポリマー組成物。
【請求項３１】
ポリエステル（Ａ）がフェノール６０重量％及びテトラクロロエタン４０重量％からなる溶剤１００ｍＬ当たりポリマー０．５０ｇを用いて２５℃において測定されたインヘレント粘度（Ｉ．Ｖ．）が０．４〜２．０ｄＬ／ｇである請求項１に記載のポリマー組成物。
【請求項３２】
前記可塑剤の総重量％が５〜４０重量％であり且つポリエステル（Ａ）の重量％が９５〜６０重量％であり、前記可塑剤と前記ポリエステル（Ａ）との総重量％が１００重量％に等しい請求項１に記載のポリマー組成物。
【請求項３３】
前記可塑剤の総重量％が５〜２０重量％であり且つポリエステル（Ａ）の重量％が８０〜９５重量％であり、前記可塑剤と前記ポリエステル（Ａ）との総重量％が１００重量％に等しい請求項３２に記載のポリマー組成物。
【請求項３４】
前記ポリエステル（Ａ）が、成分（Ａ）と（Ｂ）との重量に基づき、０〜０．５重量％の元素燐濃度を生じる１種又はそれ以上の燐触媒失活剤を更に含んでなる成分（Ｃ）を含む請求項３３に記載のポリマー組成物。
【請求項３５】
ポリエステル（Ａ）が、ポリエステル（Ａ）の総重量に基づき、０．０１〜１０．０重量％を構成する１種又はそれ以上の分岐剤を含む請求項１に記載のポリマー組成物。
【請求項３６】
ポリエステル（Ａ）の総重量に基づき、０．０５〜５重量％を構成する１種又はそれ以上の分岐剤を含む請求項３５に記載のポリマー組成物。
【請求項３７】
前記分岐剤が３個又はそれ以上のカルボキシル置換基、ヒドロキシル置換基又はそれらの組合せを有するモノマーの１種又はそれ以上の残基を含む請求項３６に記載のポリマー組成物。
【請求項３８】
前記分岐剤がトリメリット酸無水物、ピロメリット酸二無水物、グリセロール、ソルビトール、１，２，６−ヘキサントリオール、ペンタエリスリトール、トリメチロールエタン又はトリメシン酸のうち１種又はそれ以上の残基を含む請求項３７に記載のポリマー組成物。
【請求項３９】
前記ポリマー組成物の総重量に基づき、５〜４０重量％の難燃剤を含む請求項１に記載のポリマー組成物。
【請求項４０】
燐を基材とする化合物からなる群から選ばれた１種又はそれ以上の難燃剤を含む請求項３９に記載のポリマー組成物。
【請求項４１】
燐酸の１種又はそれ以上のモノエステル、ジエステル又はトリエステルを含む請求項４０に記載のポリマー組成物。
【請求項４２】
請求項１に記載のポリマー組成物の押出又はカレンダー加工又は射出成形の工程を含むフィルム又はシート又は成形品の製造方法。
【請求項４３】
請求項１に記載のポリマー組成物を含んでなるフィルム又はシート又は成形品。
【請求項４４】
前記フィルム又はシートが押出又はカレンダー加工によって製造された請求項４２に記載のフィルム又はシート又は成形品。
【請求項４５】
請求項１に記載のポリマー組成物を含んでなる成形品。
【請求項４６】
前記可塑剤の溶解度がポリエステル自体の溶解度値の±２（ｃａｌ／ｃｃ）1/2の範囲内に入る請求項１に記載のポリマー組成物。
【請求項４７】
前記可塑剤の溶解度がポリエステル自体の溶解度値の±１．５（ｃａｌ／ｃｃ）1/2の範囲内に入る請求項４６に記載のポリマー組成物。
【請求項４８】
前記可塑剤の溶解度がポリエステル自体の溶解度値の±１（ｃａｌ／ｃｃ）1/2の範囲内に入る請求項４７に記載のポリマー組成物。
【請求項４９】
ポリエステル（Ａ）がテレフタル酸残基を４５モル％、アジピン酸を５５モル％及び１，４−ブタンジオールを本質的に１００モル％含むコポリエステルであり、前記可塑剤の溶解度が８．１７〜１２．１７（ｃａｌ／ｃｃ）1/2の溶解度値範囲内に入る請求項１に記載のポリマー組成物。